(57)【特許請求の範囲】
【請求項１】
ユーザ側のパソコンから送信された第１のパスワードに応じて第２のパスワードを発行し、上記ユーザ側に上記第２のパスワードを返信するＷＷＷサーバと；
上記ＷＷＷサーバが受信した上記第１のパスワードおよび上記ＷＷＷサーバが発行した上記第２のパスワードと、所定のキャプテンセンタ契約回線を介して、上記ユーザ側から受信した上記第１のパスワードおよび上記第２のパスワードとを照合し、上記照合結果が一致した場合、上記ＷＷＷサーバに一致信号を送出する照合手段と；
を有し、上記照合手段が上記一致信号を発生したときに、上記ＷＷＷサーバから上記ユーザのパソコンに、上記所定の有料情報を送出することを特徴とする有料情報の送出装置。
【請求項２】
所定のキャプテンセンタ契約回線を介して、ユーザ側から送信された第１のパスワードに応じて第２のパスワードを発行し、上記ユーザ側に上記第２のパスワードを返信するセンタ装置と；
インターネットを介して、上記第１のパスワードおよび上記第２のパスワードを上記ユーザ側から受信するＷＷＷサーバと；
上記センタ装置が受信した上記第１のパスワードおよび上記センタ装置が発行した第２のパスワードと、インターネットを介して上記ＷＷＷサーバが受信した上記第１のパスワードおよび上記第２のパスワードとを照合し、上記照合結果が一致した場合、上記ＷＷＷサーバに一致信号を送出する照合手段と；
を有し、上記照合手段が上記一致信号を発生したときに、上記ＷＷＷサーバから上記ユーザのパソコンに、上記所定の有料情報を送出することを特徴とする有料情報の送出装置。
【請求項３】
ユーザ側のパソコンから送信された第１のパスワードに応じて第２のパスワードを発行し、上記ユーザ側に上記第２のパスワードを返信する第２のパスワード発行・返信手段と；
所定のキャプテンセンタ契約回線を介して、上記ユーザ側から、第１のパスワードと第２のパスワードとを受信する第１・第２パスワード受信手段と；
所定のキャプテンセンタ契約回線を介して、上記ユーザ側から受信した上記第１のパスワードおよび上記第２のパスワードと、上記ユーザ側のパソコンから受信した第１のパスワードおよび上記発行された第２のパスワードとを照合する照合手段と；
としてコンピュータを機能させるためのプログラムを記録したコンピュータ読み取り可能な記録媒体。
【請求項４】
請求項３において、
上記照合手段における上記照合結果が一致した場合、上記ユーザ側のパソコンに、所定の有料情報を送出する有料情報送出手段としてコンピュータを機能させるためのプログラムも記録されていることを特徴とするコンピュータ読み取り可能な記録媒体。
【請求項５】
所定のキャプテンセンタ契約回線を介して、ユーザ側から送信された第１のパスワードに応じて第２のパスワードを発行し、上記ユーザ側に上記第２のパスワードを返信する第２のパスワード発行・返信手段と；
インターネットを介して、上記第１のパスワードと上記第２のパスワードとを上記ユーザ側から受信する第１・第２のパスワード受信手段と；
上記所定のキャプテンセンタ契約回線を介して上記ユーザ側から受信した上記第１のパスワードおよび上記発行された第２のパスワードと、上記インターネットを介して上記ユーザ側から受信した上記第１のパスワードおよび上記第２のパスワードとを照合するパスワード照合手段と；
としてコンピュータを機能させるためのプログラムを記録したコンピュータ読み取り可能な記録媒体。
【請求項６】
請求項５において、
上記パスワード照合手段による照合結果が一致した場合、上記ユーザ側のパソコンに、所定の有料情報を送出する有料情報送出手段としてコンピュータを機能させるためのプログラムも記録されていることを特徴とするコンピュータ読み取り可能な記録媒体。
【発明の詳細な説明】
【０００１】
【発明の属する技術分野】
本発明は、ＷＷＷブラウザを用い、インターネット上のＷＷＷサーバの情報を取得する際や、団体への入会手続きを行う場合に、ビデオテックス通信網を利用し、ＷＷＷブラウザの閲覧者に対して課金するものである。
【０００２】
【従来の技術】
インターネットの普及に伴い、ＷＷＷサーバ上で貴重な映像情報を送信するケースや、ソフトウェアをＷＷＷブラウザにダウンロードさせるケースが増えている。このようにＷＷＷサーバ上の情報を提供する際に、従来は、無料提供するか、または銀行振込み等によってオフラインで回収するようにしている。
【０００３】
ところで、現在では、電子現金の技術は実用化段階には達しておらず、これらの情報を提供する際に、料金を回収する有効な手段が現在では存在しないので、その情報を無料で提供している場合が多い。
【０００４】
【発明が解決しようとする課題】
しかし、インターネット上の情報を有料情報として提供したいというニーズが多く、そのニーズは今後も増加するものと思われる。
【０００５】
本発明は、ＷＷＷサーバ上で取り扱うことが困難であった有料情報を、ビデオテックス通信網を利用して簡単に取り扱うことができるようにし、インターネットを利用した情報の送受信やＥＣ（Ｅｒｅｃｔｒｏｎｉｃ  Ｃｏｍｍｅｒｃｅ  ）について、一層の発展を期待することができる有料情報の送出方法、その装置および記録媒体を提供することを目的とするものである。
【０００６】
【課題を解決するための手段】
本発明は、ＷＷＷブラウザ上で操作者が任意のパスワードＰＷＤ１を入力し、インターネットを介してＷＷＷサーバが受信したパスワードＰＷＤ１に応じて、ランダムなパスワードＰＷＤ２をＷＷＷサーバが発行し、ユーザ側のＷＷＷブラウザ上にパスワードＰＷＤ２を表示し、操作者は、ビデオテックス通信網を介して、パスワードＰＷＤ１、ＰＷＤ２を送出し、ユーザ側がビデオテックス通信網を介して送出したパスワードＰＷＤ１およびＰＷＤ２と、インターネットを介して送出されたパスワードＰＷＤ１および発行されたパスワードＰＷＤ２とを、ＷＷＷサーバが照合し、この照合結果が良好であれば、有料情報をＷＷＷサーバがユーザ側に送信するものである。
【０００７】
【発明の実施の形態および実施例】
図１は、本発明の一実施例である有料情報の送出装置ＴＳ１を示す図である。有料情報の送出装置ＴＳ１は、インターネットＩＮと公衆網ＰＮとＮＴＴのビデオテックス通信網（キャプテンシステム）ＶＮとを介して、ユーザ側Ｕ１に接続される運営者側の装置であり、ＷＷＷサーバ１０とセンタ装置２０とＤＳＵ（Ｄｉｇｉｔａｌ  Ｓｅｒｖｉｃｅ  Ｕｎｉｔ  宅内データ回線終端装置）２１とを有する装置である。
【０００８】
ユーザ側Ｕ１は、パソコンＰＣと電話機Ｔとを有し、パソコンＰＣから、ＷＷＷブラウザ上で第１のパスワードＰＷＤ１を入力し、この入力された第１のパスワードＰＷＤ１をＷＷＷサーバ１０へ送信するものである。また、ユーザ側Ｕ１は、電話機Ｔが接続される電話回線とは別に、インターネットプロバイダまでのダイアルアップ用の電話回線、専用線、またはＩＳＤＮの各契約と、キャプテンサービス利用契約とを行っているものとする。
【０００９】
ＷＷＷサーバ１０は、ユーザ側Ｕ１のパソコンＰＣから送信された第１のパスワードＰＷＤ１に応じて、ランダムな第２のパスワードＰＷＤ２を発行し、インターネットＩＮを介して、ユーザ側Ｕ１に第２のパスワードＰＷＤ２を返信する装置である。
【００１０】
センタ装置２０は、ビデオテックス通信網ＶＮ、キャプテンセンタ契約回線を介して、ユーザ側Ｕ１から受信したパスワードＰＷＤ１、ＰＷＤ２をＷＷＷサーバ１０に送る装置である。
【００１１】
また、ＷＷＷサーバ１０は、センタ装置２０から受信したパスワードＰＷＤ１およびＰＷＤ２と、ユーザ側Ｕ１から受信したパスワードＰＷＤ１およびＷＷＷサーバが発行したパスワードＰＷＤ２とを照合し、上記照合結果が一致した場合、一致信号を送出し、インターネットＩＮを介して、所定の有料情報をユーザ側Ｕ１に送出する手段である。
【００１２】
次に、上記実施例の動作について説明する。
【００１３】
図２、図３は、上記実施例における動作を示すフローチャートであり、電話接続の切換を手動で実行する場合の動作を示すフローチャートである。
【００１４】
ユーザ側Ｕ１の操作者が、所望の有料情報を取得したい場合、まず、電話回線を介してインターネットプロバイダへ接続し（Ｓ１）、ＷＷＷサーバ１０のサイトにアクセスし、閲覧し（Ｓ２）、有料情報提供ページにアクセスし（Ｓ３）、「有料情報取得」釦を押下し、パスワードＰＷＤ１を入力し、このパスワードＰＷＤ１がインターネットＩＮを介して、ＷＷＷサーバ１０へ送信される（Ｓ４）。ＷＷＷサーバ１０は、パスワードＰＷＤ１に対し、ランダムなパスワードＰＷＤ２を発行し、ユーザ側Ｕ１へ送出する（Ｓ５）。
【００１５】
ユーザ側Ｕ１において、パスワードＰＷＤ２を受信し、インターネットプロバイダとの通信を切断し（Ｓ６）、ビデオテックス通信網ＶＮを介して、センタ装置２０に接続し（Ｓ７）、受信したパスワードＰＷＤ１およびＰＷＤ２を、モデム信号でセンタ装置２０に送信する（Ｓ８）。センタ装置２０は、受信したパスワードＰＷＤ１およびＰＷＤ２をＷＷＷサーバ１０へ通知し、ＷＷＷサーバ１０がパスワードを照合する（Ｓ９）。つまり、ＷＷＷサーバ１０は、センタ装置２０から受信されたパスワードＰＷＤ１およびＰＷＤ２と、インターネットＩＮを介してユーザ側Ｕ１から受信したパスワードＰＷＤ１およびＷＷＷサーバ１０が発行したパスワードＰＷＤ２とを照合する。この照合結果は、ＷＷＷサーバ１０からセンタ装置２０へ通知され、パソコンＰＣへ通知される（Ｓ１０）。
【００１６】
そして、ユーザ側Ｕ１は、センタ装置２０との通信を切断し（Ｓ１１）、インターネットプロバイダへダイヤルアップし、ＷＷＷサーバ１０へアクセスし（Ｓ１２）、パスワードＰＷＤ１およびＰＷＤ２を送信する（Ｓ１３）。そして、ＷＷＷサーバ１０が、上記と同様にパスワードを再び照合し、この照合が一致し、しかも、ビデオテックス通信網ＶＮを介してパスワードＰＷＤ１、ＰＷＤ２を受信したときに課金が実行されたことを確認し（課金したときに立てたフラグを確認し）、この確認を行った後に、インターネットＩＮを介して、ＷＷＷサーバ１０がパソコンＰＣに有料情報を送出し（Ｓ１４）、ユーザ側Ｕ１がその有料情報を受信する（Ｓ１５）。
【００１７】
なお、パスワードを再び照合する（Ｓ１３）のは、悪用を防止するためである。つまり、上記実施例において、ビデオテックス通信網ＶＮを介して受信したパスワードと照合している（Ｓ１４）が、ビデオテックスＶＮを介して有料情報を送信するのではなく、インターネットＩＮを介し有料情報を送信するので、インターネットＩＮで有料情報を送信する直前に、インターネットＩＮを介して受信したパスワードの真偽を照合することによって判断し、インターネットＩＮを介して受信したパスワードが、ビデオテックス通信網ＶＮを介して受信したパスワードと異なる場合に、有料情報の送信を阻止する。
【００１８】
次に、上記実施例の動作をより具体的に説明する。
【００１９】
図４は、上記実施例の動作をより具体的に示すシーケンス図である。
【００２０】
まず、ユーザ側Ｕ１において、パソコンＰＣがＷＷＷブラウザを搭載し、操作者がこのパソコンＰＣを用いてＷＷＷサーバ１０にアクセスし、有料情報を取得する場合、ブラウザの画面上で、任意のパスワードＰＷＤ１を入力し、ＷＷＷサーバ１０へ送信する。ＷＷＷサーバ１０は、受信したパスワードＰＷＤ１に対して、ランダムな変数であるパスワードＰＷＤ２を発行し、ユーザ側Ｕ１のアドレス（ＩＰアドレス）とのマッピングを保持し、つまり、ユーザ側Ｕ１のアドレス（ＩＰアドレス）とパスワードＰＷＤ２との対応関係を保持し、発行されたパスワードＰＷＤ２をパスワードＰＷＤ１とともにユーザ側Ｕ１へ通知する。ユーザ側Ｕ１は、プロバイダとの通信を一旦切断し、ブラウザ上に記述されているビデオテックス通信網ＶＮのセンタ装置２０の番号に、パソコンＰＣから電話発信する。相手応答後、モデム通信によって、ＷＷＷサーバ１０から通知されたパスワードＰＷＤ１およびパスワードＰＷＤ２を送出する。
【００２１】
センタ装置２０は、このパスワードＰＷＤ１、パスワードＰＷＤ２を受信し、ＷＷＷサーバ１０へ通知する。ＷＷＷサーバ１０は、保持していたパスワードＰＷＤ１およびパスワードＰＷＤ２と、センタ装置２０から通知されたパスワードＰＷＤ１およびパスワードＰＷＤ２とを照合する。照合結果が一致した場合、ユーザ側Ｕ１に対して一致通知を行い、ユーザ側Ｕ１の操作者は、インターネットプロバイダへ接続し直し、ＷＷＷサーバ１０から有料情報を受信することが可能になる。
【００２２】
照合結果が不一致であった場合、センタ装置２０からユーザ側Ｕ１に対して不一致である旨を通知する。このときに、モデム通信の不具合によってパスワードが正常に通知されなかった場合、一定回数処理を繰り返した後に、電話を切断する。また、一定時間経過してもパスワードが一致しなかった場合には、ＷＷＷサーバ１０に保持していたユーザＵ１側のアドレス／パスワードＰＷＤ１／パスワードＰＷＤ２を消去する。このようにして、ＷＷＷブラウザ上で自動で有料情報や会員料を取り扱うことができる。
【００２３】
図５は上記実施例における他の操作、処理を示すシーケンス図であり、有料情報を、端末ＡのＷＷＷブラウザ上でなく、ユーザ側のＦＡＸに送信する操作、処理を示すシーケンス図である。
【００２４】
図５に示す処理において、図４に示す処理と異なる点は、初めのパスワード入力時に、ＦＡＸ番号も入力しておく点である。
【００２５】
この場合、ユーザ側Ｕ１において、ＦＡＸ装置をパソコンＰＣとともに設けるか、ＦＡＸ機能が内蔵されているパソコンＰＣを使用する。
【００２６】
上記ＷＷＷブラウザ上で第１のパスワードＰＷＤ１を入力する際、または、上記センタ装置２０へダイヤルする際に、ユーザ側Ｕ１が所有するＦＡＸの番号を指定する。このようにすることによって、ＷＷＷサーバ１０上の有料情報を、ＦＡＸ情報として送信することができる。つまり、ＷＷＷサーバ１０は、情報の送信先がＦＡＸであることを認識し、電話切断後にＦＡＸ送信する。このようにすることによって、ユーザ側でＦＡＸを有していれば、プリンタを持っていなくても、ＷＷＷサーバ１０の情報をユーザが紙面で取り出すことができる。
【００２７】
図６、図７は、上記実施例における動作を示すフローチャートであり、電話接続の切換を自動で実行する場合の動作（インターネットＩＮを経由したパスワードＰＷＤ１、ＰＷＤ２をＷＷＷサーバ１０に登録する場合の動作）を示すフローチャートである。
【００２８】
ユーザ側Ｕ１の操作者が、所望の有料情報を取得したい場合、まず、電話回線でインターネットプロバイダへ接続し（Ｓ１）、ＷＷＷサーバ１０のサイトにアクセスし、閲覧し（Ｓ２）、有料情報提供ページにアクセスし（Ｓ３）、「有料情報取得」釦を押下し、パスワードＰＷＤ１を入力し、このパスワードＰＷＤ１がインターネットＩＮを介して、ＷＷＷサーバ１０へ送信される（Ｓ４）。
【００２９】
そして、ＷＷＷサーバ１０が課金サーバ通信ソフトウェアをユーザ側Ｕ１に送出し（Ｓ２１）、ユーザ側Ｕ１が、その課金サーバ通信ソフトウェアを受信し、受信された課金サーバ通信ソフトウェアがＲＡＭ等に格納され、ハードパスワード発行を要求し（Ｓ２２）、パスワードＰＷＤ１に対して、ＷＷＷサーバ１０が、ランダムなパスワードＰＷＤ２を発行し、ユーザ側Ｕ１に送出し（Ｓ２３）、ユーザ側Ｕ１がパスワードＰＷＤ２を受信する。
【００３０】
そして、パソコンＰＣにインストールされた課金サーバ通信ソフトが、インターネットプロバイダとの通信を切断し（Ｓ２５）、センタ装置２０に接続し、パスワードＰＷＤ１および受信したパスワードＰＷＤ２を、モデム信号によって、センタ装置２０に送信し（Ｓ２６）、センタ装置２０は、受信したパスワードＰＷＤ１およびパスワードＰＷＤ２をＷＷＷサーバ１０に通知し、ＷＷＷサーバ１０が、パスワードの照合を実行する（Ｓ９）。すなわち、ＷＷＷサーバ１０は、センタ装置２０から受信したパスワードＰＷＤ１およびＰＷＤ２と、インターネットＩＮを介してユーザ側Ｕ１から受信したパスワードＰＷＤ１およびＷＷＷサーバ１０が発行したパスワードＰＷＤ２とを照合する。この照合結果は、ＷＷＷサーバ１０からセンタ装置２０へ通知され、パソコンＰＣへ通知される（Ｓ１０）。
【００３１】
そして、課金サーバ通信ソフトウェアは、センタ装置２０との通信を切断し（Ｓ２７）、インターネットプロバイダへダイヤルアップし、ＷＷＷサーバ１０へアクセスし（Ｓ２８）、パスワードＰＷＤ１およびＰＷＤ２を送信する（Ｓ２９）。ＷＷＷサーバ１０がパスワードＰＷＤ１およびＰＷＤ２を照合し、照合結果が一致し、しかも、上記と同様に、課金が終了したことが確認された後に、インターネットＩＮを介して、ＷＷＷサーバ１０がパソコンＰＣに有料情報を送出し（Ｓ１４）、ユーザ側Ｕ１がその有料情報を受信する（Ｓ１５）。
【００３２】
上記のように、操作を自動化したソフトウェアを、ユーザ側Ｕ１のパソコンＰＣに組み込めば、ユーザ側Ｕ１の操作者の操作が容易になる。
【００３３】
図８は、本発明の他の実施例である有料情報の送出装置ＴＳ２を示す図である。有料情報の送出装置ＴＳ２は、図１に示す有料情報の送出装置ＴＳ１における操作手順とは逆の操作手順を採用した装置の例である。
【００３４】
有料情報の送出装置ＴＳ２において、ユーザ側Ｕ１が、ＷＷＷブラウザに表示されているビデオテックス通信網ＶＮのセンタ装置２０の番号にダイヤルし、パスワードＰＷＤ１を、キャプテンプロトコルのモデム通信によって、センタ装置２０へ送信し、センタ装置２０が、パスワードＰＷＤ１に応じてパスワードＰＷＤ２を発行し、上記ＷＷＷブラウザを閲覧しているユーザ側Ｕ１に第２のパスワードＰＷＤ２を返信し、ユーザ側Ｕ１からセンタ装置２０が受信したパスワードＰＷＤ１およびパスワードＰＷＤ１に応じて発行されたパスワードＰＷＤ２を、センタ装置２０がＷＷＷサーバ１０に通知し、パスワードＰＷＤ１およびパスワードＰＷＤ２とを、ＷＷＷブラウザ上でユーザ側Ｕ１の操作者が入力し、インターネットＩＮを介して、ＷＷＷサーバ１０へ通知する。そして、インターネットＩＮを介してユーザ側Ｕ１から受信したパスワードＰＷＤ１およびＰＷＤ２と、センタ装置２０を介してユーザ側Ｕ１から受信したパスワードＰＷＤ１およびセンタ装置２０が発行したパスワードＰＷＤ２とを、ＷＷＷサーバ１０が照合し、この照合結果が一致した場合、ＷＷＷサーバ１０からユーザ側Ｕ１のパソコンＰＣに、所定の有料情報を送出する。
【００３５】
図９、図１０は、図８に示す実施例における動作を示すフローチャートであり、電話接続の切換を自動で実行する場合の動作（ビデオテックス通信網ＶＮを経由したパスワードＰＷＤ１、ＰＷＤ２をＷＷＷサーバ１０に登録する場合の動作）を示すフローチャートである。
【００３６】
ユーザ側Ｕ１の操作者が、所望の有料情報を取得したい場合、まず、電話回線でインターネットプロバイダへ接続し（Ｓ１）、ＷＷＷサーバ１０のサイトにアクセスし、閲覧し（Ｓ２）、有料情報提供ページにアクセスし（Ｓ３）、「有料情報取得」釦を押下し、パスワードＰＷＤ１を入力し、このパスワードＰＷＤ１がインターネットＩＮを介して、センタ装置２０へ送信される（Ｓ４）。
【００３７】
そして、ＷＷＷサーバ１０が課金サーバ通信ソフトウェアをユーザ側Ｕ１に送出し（Ｓ２１）、ユーザ側Ｕ１がその課金サーバ通信ソフトウェアを受信する（Ｓ２２）。
【００３８】
そして、パソコンＰＣにインストールされた課金サーバ通信ソフトが、インターネットプロバイダとの通信を切断し（Ｓ３１）、センタ装置２０に接続し、モデム信号によって、パスワード発行をセンタ装置２０に要求し（Ｓ３２）、センタ装置２０が、パスワードＰＷＤ１に対してランダムなパスワードＰＷＤ２を発行し、ユーザ側Ｕ１へ送出する（Ｓ３３）。
【００３９】
パソコンＰＣにインストールされた課金サーバ通信ソフトが、パスワードＰＷＤ２を受信し、このパスワードＰＷＤ２およびパスワードＰＷＤ１をセンタ装置２０へ送信し（Ｓ３４）、センタ装置２０が受信したパスワードＰＷＤ１およびＰＷＤ２を、ＷＷＷサーバ１０へ通知する（Ｓ３５）。
【００４０】
そして、パソコンＰＣにインストールされた課金サーバ通信ソフトが、センタ装置２０との通信を切断し（Ｓ３６）、インターネットプロバイダへダイヤルアップし、ＷＷＷサーバ１０へアクセスし（Ｓ３７）、パスワードを送信する（３８）。ＷＷＷサーバ１０がパスワードを照合し、この照合結果が一致し、しかも、課金済の確認が行われた後に、インターネットＩＮを介して、ＷＷＷサーバ１０がパソコンＰＣに有料情報を送出し（Ｓ１４）、ユーザ側Ｕ１がその有料情報を受信する（Ｓ１５）。
【００４１】
さらに、電話電報を受け付けた場合、その電報料金が電話料金として課金されるが、これと同様に課金するようにしてもよい。つまり、上記有料情報をユーザ側Ｕ１に送信する場合、その情報料を電話料金として課金するようにしてもよい。この場合には、電報受付センタにおける装置の入力部分を、有料情報課金に対応するように改造する必要がある。
【００４２】
なお、上記実施例において、ビデオテックス通信網ＶＮを介してセンタ装置２０側に通知されたユーザ側Ｕ１の利用者識別番号（ＴＩＤ）を用いて、センタ装置２０側において料金明細の記録をとる。そして、センタ装置２０側でとった料金明細の記録に基づいて、利用料金や月積算料金を計算し、この計算された利用料金や月積算料金を、ビデオテックス通信網ＶＮまたはインターネットＩＮ経由でユーザ側Ｕ１に通知する。
【００４３】
また、センタ装置２０側で、ビデオテックス通信網ＶＮから通知された利用者識別番号（ＴＩＤ）を用い、会員サービスにおける会員登録者の確認を行う。
【００４４】
さらに、ユーザ側Ｕ１の電話番号を併用して照合を行うようにしてもよい。つまり、パスワードＰＷＤ１およびＰＷＤ２をＷＷＷサーバ１０に登録するとともに、インターネットＩＮを介して受信したユーザ側Ｕ１の電話番号をＷＷＷサーバ１０に登録し、上記のようにパスワードＰＷＤ１、ＰＷＤ２を照合するとともに、ビデオテックス通信網ＶＮから受信した利用者識別番号（ＴＩＤ  ユーザ側Ｕ１の電話番号）を、インターネットＩＮを介して受信したユーザ側Ｕ１の電話番号と照合するようにしてもよい。具体的には、利用者が、インターネットＩＮ上で自分の電話番号を入力し、センタ装置２０に電話した際に、ビデオテックス通信網ＶＮを介して通知された利用者識別番号（ＴＩＤ）と照合する。このように利用者識別番号を照合することによって、信頼性がより高まる。
【００４５】
パスワードが照合されたとき、ビデオテックス通信網ＶＮによって、インターネットＩＮ上の番組（デジタル情報）の所在を示す番組選択番号やＵＲＬを、センタ装置２０からユーザ側Ｕ１のパソコンＰＣへ送信する。また、ビデオテックス通信網ＶＮを介してパスワードを登録する際に、インターネットＩＮ上の番組（デジタル情報）の所在を示す番組選択番号やＵＲＬを、パソコンＰＣからセンタ装置２０へ送信する。
【００４６】
上記実施例において、パソコンＰＣは、通常のパーソナルコンピュータまたはキャプテン専用端末である。なお、パソコンＰＣとして通常のパーソナルコンピュータを使用する場合には、ソフトウェアを追加し、ビデオテックス通信網ＶＮへの接続とインターネットプロバイダへの接続とを切り替え、自動的に伝送速度を変更して通信する。
【００４７】
上記実施例は、ビデオテックス通信網ＶＮの情報料の範囲で、有料情報送出の運営者が、課金可能な料金を自由に設定可能であり、ダイヤルＱ２を利用した場合よりも、課金可能な料金の範囲が広く、また、設定料金を変更する場合に回線契約を追加、変更する必要がなく、設定料金の変更作業が容易である。また、上記実施例において、情報料手数料が５％であるので、運営者の負担が少なく、エンドユーザは、ビデオテックス通信網ＶＮへ加入するための契約を必要とするが、その加入後は、インターネットＩＮを介して有料情報を受信するので、低額課金が実現される。
【００４８】
なお、上記実施例においては、センタ装置２０が受信した第１のパスワードＰＷＤ１および第２のパスワードＰＷＤ２を、ＷＷＷサーバ１０へ通知するようにしているが、このようにＷＷＷサーバ１０へ通知する代わりに、ＷＷＷサーバ機能に課金照合を司る機能を有するサーバであり、ＷＷＷサーバ１０とは別のサーバに、センタ装置２０が受信した第１のパスワードＰＷＤ１および第２のパスワードＰＷＤ２を送信するようにしてもよい。
【００４９】
なお、第１のパスワードＰＷＤ１、上記第２のパスワードＰＷＤ２は、数字列、テキスト、またはその組み合わせである。
【００５０】
また、上記有料情報を提供した場合の料金の徴収と同様にして、各種の料金を自動的に徴収することができる。たとえば、ソフトウェアのダウンロード料、各種情報閲覧料、インターネット上の会員サービスの加入料、年会費、インターネットプロバイダやパソコンＰＣ通信業者へのオンラインサインアップや月額料、インターネット上での商品購入に対する支払い、写真等の静止画像の閲覧料、ダウンロード料、ビデオ等の動画像の閲覧料、ダウンロード料、募金（募金者のリストをインターネット上に公開可能）、ゲームの利用料、対戦型ゲームの参加料、ヘルプデスクや受付案内（映像送受信等、インターネットを利用して行うもの）の料金、インターネット外のものに対する料金支払い（通信販売、公共料金等の支払い）、上記の適用例を包含した形態での総合的な運営（インターネット上の百貨店、専門店等）の料金を徴収することができる。
【００５１】
したがって、上記実施例によれば、インターネットを利用した情報の送受信やＥＣ（Ｅｒｅｃｔｒｏｎｉｃ  Ｃｏｍｍｅｒｃｅ  ）の一層の発展を期待することができる。
【００５２】
図１１は、本発明の第３の実施例を示すブロック図である。
【００５３】
この第３の実施例は、図１に示す実施例において、有料情報の送出装置ＴＳ１の代わりに、有料情報の送出装置ＴＳ１ａを設けたものである。
【００５４】
有料情報の送出装置ＴＳ１ａは、ＣＰＵ４０と、ＲＯＭ４１と、ＲＡＭ４２とを有するものである。ＣＰＵ４０は、有料情報の送出装置ＴＳ１ａの全体を制御するものである。ＲＯＭ４１は、図１２に示すフローチャートに対応するプログラムが格納されているメモリである。ＲＡＭ４２は、作業用のメモリである。
【００５５】
次に、上記第３の実施例の動作について説明する。
【００５６】
図１２は、有料情報の送出装置ＴＳ１ａにおけるＣＰＵ４０の動作を示すフローチャートである。
【００５７】
まず、ユーザ側Ｕ１のパソコンＰＣから送信された第１のパスワードＰＷＤ１に応じて第２のパスワードＰＷＤ２を発行し（Ｓ４１）、ユーザ側Ｕ１に第２のパスワードＰＷＤ２を返信する（Ｓ４２）。
【００５８】
そして、所定のキャプテンセンタ契約回線を介して、ユーザ側Ｕ１から、第１のパスワードＰＷＤ１および第２のパスワードＰＷＤ２を受信し（Ｓ４３）、所定のキャプテンセンタ契約回線を介して、ユーザ側Ｕ１から受信した第１のパスワードＰＷＤ１および第２のパスワードＰＷＤ２と、上記ユーザ側のパソコンＰＣから受信した第１のパスワードＰＷＤ１および上記発行された第２のパスワードＰＷＤ２とを照合し（Ｓ４４）、この照合結果が一致した場合、ユーザ側Ｕ１のパソコンＰＣに、所定の有料情報を送出する（Ｓ４５）。
【００５９】
ここで、ＣＰＵ４０とＲＯＭ４１とは、ユーザ側のパソコンから送信された第１のパスワードに応じて第２のパスワードを発行し、上記ユーザ側に上記第２のパスワードを返信する第２のパスワード発行・返信手段の例であり、所定のキャプテンセンタ契約回線を介して、上記ユーザ側から、第１のパスワードと第２のパスワードとを受信する第１・第２パスワード受信手段の例であり、また、所定のキャプテンセンタ契約回線を介して、上記ユーザ側から受信した上記第１のパスワードおよび上記第２のパスワードと、上記ユーザ側のパソコンから受信した第１のパスワードおよび上記発行された第２のパスワードとを照合する照合手段の例であり、さらに、上記照合手段における上記照合結果が一致した場合、上記ユーザ側のパソコンに、所定の有料情報を送出する有料情報送出手段の例である。
【００６０】
図１３は、本発明の第４の実施例を示すブロック図である。
【００６１】
この第４の実施例は、図８に示す実施例において、有料情報の送出装置ＴＳ２の代わりに、有料情報の送出装置ＴＳ２ａを設けたものである。
【００６２】
有料情報の送出装置ＴＳ２ａは、ＣＰＵ５０と、ＲＯＭ５１と、ＲＡＭ５２とを有するものである。ＣＰＵ５０は、有料情報の送出装置ＴＳ２ａの全体を制御するものである。ＲＯＭ５１は、図１４に示すフローチャートに対応するプログラムが格納されているメモリである。ＲＡＭ５２は、作業用のメモリである。
【００６３】
次に、上記第４の実施例の動作について説明する。
【００６４】
図１４は、有料情報の送出装置ＴＳ２ａにおけるＣＰＵ５０の動作を示すフローチャートである。
【００６５】
まず、所定のキャプテンセンタ契約回線を介して、ユーザ側Ｕ１から送信された第１のパスワードＰＷＤ１に応じて第２のパスワードＰＷＤ２を発行し（Ｓ５１）、ユーザ側Ｕ１に第２のパスワードＰＷＤ２を返信する（Ｓ５２）。その後、インターネットを介して、第１のパスワードＰＷＤ１と第２のパスワードＰＷＤ２とをユーザ側Ｕ１から受信する（Ｓ５３）。
【００６６】
そして、上記所定のキャプテンセンタ契約回線を介してユーザ側Ｕ１から受信した第１のパスワードＰＷＤ１および発行された第２のパスワードＰＷＤ２と、インターネットを介してユーザ側Ｕ１から受信した第１のパスワードＰＷＤ１および第２のパスワードＰＷＤ２とを照合し（Ｓ５４）、この照合結果が一致した場合、ユーザ側Ｕ１のパソコンＰＣに所定の有料情報を送出する（Ｓ５５）。
【００６７】
ここで、ＣＰＵ５０とＲＯＭ５１とは、所定のキャプテンセンタ契約回線を介して、ユーザ側から送信された第１のパスワードに応じて第２のパスワードを発行し、上記ユーザ側に上記第２のパスワードを返信する第２のパスワード発行・返信手段の例であり、インターネットを介して、上記第１のパスワードと上記第２のパスワードとを上記ユーザ側から受信する第１・第２のパスワード受信手段の例であり、また、上記所定のキャプテンセンタ契約回線を介して上記ユーザ側から受信した上記第１のパスワードおよび上記発行された第２のパスワードと、上記インターネットを介して上記ユーザ側から受信した上記第１のパスワードおよび上記第２のパスワードとを照合するパスワード照合手段の例であり、さらに、上記パスワード照合手段による照合結果が一致した場合、上記ユーザ側のパソコンに、所定の有料情報を送出する有料情報送出手段の例である。
【００６８】
なお、図１２、図１４に示すフローチャートに対応するプログラムを記録する記録媒体としては、ＲＯＭ以外に、ＦＤ、ＣＤ、ＤＶＤ、ハードディスク、バックアップ付きＲＡＭ、テープ等を使用するようにしてもよい。
【００６９】
また、実際には、図１１において、キャプテンセンタ契約回線とＣＰＵ４０との間にダイヤルアップルータが設けられ、図１３において、キャプテンセンタ契約回線とＣＰＵ５０との間にダイヤルアップルータが設けられ、このようにダイヤルアップルータを設ければ、複数回線のデータをまとめて送受信できるが、理論的には、図１１、図１３に示すようにダイヤルアップルータを省略するようにしてもよい。
【００７０】
【発明の効果】
本発明によれば、ＷＷＷサーバ上で有料として取り扱うことが困難であった有料情報を、ビデオテックス通信網を利用して簡単に取り扱うことができるという効果を奏する。
【図面の簡単な説明】
【図１】本発明の一実施例である有料情報の送出装置ＴＳ１を示す図である。
【図２】上記実施例における動作を示すフローチャートであり、電話接続の切換を手動で実行する場合の動作を示すフローチャートである。
【図３】上記実施例における動作を示すフローチャートであり、電話接続の切換を手動で実行する場合の動作を示すフローチャートである。
【図４】上記実施例の動作をより具体的に示すシーケンス図である。
【図５】上記実施例における他の操作、処理を示すシーケンス図であり、有料情報を、端末ＡのＷＷＷブラウザ上でなく、ユーザ側のＦＡＸに送信する操作、処理を示すシーケンス図である。
【図６】上記実施例における動作を示すフローチャートであり、電話接続の切換を自動で実行する場合の動作を示すフローチャートである。
【図７】上記実施例における動作を示すフローチャートであり、電話接続の切換を自動で実行する場合の動作を示すフローチャートである。
【図８】本発明の他の実施例である有料情報の送出装置ＴＳ２を示す図である。有料情報の送出装置ＴＳ２は、図１に示す有料情報の送出装置ＴＳ１における操作手順とは逆の操作手順を採用した装置の例である。
【図９】図８に示す実施例における動作を示すフローチャートであり、電話接続の切換を自動で実行する場合の動作を示すフローチャートである。
【図１０】図８に示す実施例における動作を示すフローチャートであり、電話接続の切換を自動で実行する場合の動作を示すフローチャートである。
【図１１】本発明の第３の実施例を示すブロック図である。
【図１２】有料情報の送出装置ＴＳ１ａにおけるＣＰＵ４０の動作を示すフローチャートである。
【図１３】本発明の第４の実施例を示すブロック図である。
【図１４】有料情報の送出装置ＴＳ２ａにおけるＣＰＵ５０の動作を示すフローチャートである。
【符号の説明】
Ｕ１…ユーザ側、
ＰＣ…パソコン、
ＴＳ１、ＴＳ２、ＴＳ１ａ、ＴＳ２ａ…有料情報の送出装置、
ＩＮ…インターネット、
ＶＮ…ビデオテックス通信網、
ＰＷＤ１…第１のパスワード、
ＰＷＤ２…第２のパスワード、
１０…ＷＷＷサーバ、
２０…センタ装置、
２１…ＤＳＵ、
４０、５０…ＣＰＵ、
４１、５２…ＲＯＭ。
【図１】
0003565475.tif 000002
【図２】
0003565475.tif 000003
【図３】
0003565475.tif 000004
【図４】
0003565475.tif 000005
【図５】
0003565475.tif 000006
【図６】
0003565475.tif 000007
【図７】
0003565475.tif 000008
【図８】
0003565475.tif 000009
【図９】
0003565475.tif 000010
【図１０】
0003565475.tif 000011
【図１１】
0003565475.tif 000012
【図１２】
0003565475.tif 000013
【図１３】
0003565475.tif 000014
【図１４】
0003565475.tif 000015